(57)【要約】【課題】より適応的に受信信号の利得制御を行うことができるようにする。【解決手段】本技術の通信装置は、受信信号の信号レベルを増幅する増幅部と、前記増幅部の過渡特性を制御する過渡特性制御部とを備える。例えば、前記過渡特性制御部は、前記受信信号の放送方式や、前記受信信号の伝送に関する伝送パラメータ等に応じて、前記過渡特性を制御することができる。また、本技術の通信方法は、通信装置が、受信信号の信号レベルを増幅し、その増幅の過渡特性を制御する。本開示は例えば、信号を受信する通信装置に適用することができる。【選択図】図３
2014086887.tif 000002
【特許請求の範囲】
【請求項１】
受信信号の信号レベルを増幅する増幅部と、
前記増幅部の過渡特性を制御する過渡特性制御部と
を備える通信装置。
【請求項２】
前記過渡特性制御部は、前記受信信号の放送方式に応じて、前記過渡特性を制御する
請求項１に記載の通信装置。
【請求項３】
前記過渡特性制御部は、前記受信信号の伝送に関する伝送パラメータに応じて、前記過渡特性を制御する
請求項１に記載の通信装置。
【請求項４】
前記伝送パラメータは、前記受信信号に含まれるビットストリームのビットレートに関する情報を含む
請求項３に記載の通信装置。
【請求項５】
前記伝送パラメータは、変調方式に関する情報を含む
請求項３に記載の通信装置。
【請求項６】
前記過渡特性制御部は、前記受信信号が周波数変換されたIF信号の信号レベルに基づいて前記増幅部の利得を制御する制御電圧を制御することにより、前記過渡特性を制御する
請求項１に記載の通信装置。
【請求項７】
前記過渡特性制御部は、前記制御電圧を制御するＲＣ回路の抵抗および静電容量の少なくともいずれか一方を制御する
請求項６に記載の通信装置。
【請求項８】
前記過渡特性制御部は、前記増幅部の出力の信号レベルに基づいて前記増幅部の利得を制御する制御電圧を制御することにより、前記過渡特性を制御する
請求項１に記載の通信装置。
【請求項９】
前記過渡特性制御部は、前記制御電圧を制御する電流源の電流を制御する
請求項８に記載の通信装置。
【請求項１０】
所定の情報に基づいて、前記過渡特性制御部による前記過渡特性の制御を制御する制御部をさらに備える
請求項１に記載の通信装置。
【請求項１１】
前記受信信号に含まれる、前記受信信号の伝送に関する伝送パラメータを抽出する抽出部をさらに備え、
前記制御部は、前記抽出部により抽出された前記伝送パラメータに基づいて、前記過渡特性制御部による前記過渡特性の制御を制御する
請求項１０に記載の通信装置。
【請求項１２】
ユーザ入力を受け付ける受付部をさらに備え、
前記制御部は、前記受付部により受け付けられた前記ユーザ入力に基づいて、前記過渡特性制御部による前記過渡特性の制御を制御する
請求項１０に記載の通信装置。
【請求項１３】
前記通信装置の位置を特定する位置特定部をさらに備え、
前記制御部は、前記位置特定部により特定された前記通信装置の位置に応じて、前記過渡特性制御部による前記過渡特性の制御を制御する
請求項１０に記載の通信装置。
【請求項１４】
前記制御部は、前記通信装置が位置する地域の、前記受信信号の放送方式に応じて、前記過渡特性制御部による前記過渡特性の制御を制御する
請求項１３に記載の通信装置。
【請求項１５】
通信装置の通信方法において、
前記通信装置が、
受信信号の信号レベルを増幅し、
その増幅の過渡特性を制御する
通信方法。
【発明の詳細な説明】
【技術分野】
【０００１】
本技術は、通信装置および方法に関し、特に、より適応的に受信信号の利得制御を行うことができるようにした通信装置および方法に関する。
【背景技術】
【０００２】
従来、テレビジョン信号の受信装置（デジタルチューナ）においては、受信信号を増幅する。この増幅の利得は、受信レベル等に応じて制御される。
【０００３】
例えば、受信チャンネル毎に適正な相互変調となる利得を設定し、受信チャンネルに応じてその利得を切り換える方法があった（例えば、特許文献１参照）。
【先行技術文献】
【特許文献】
【０００４】
【特許文献１】特開２００５−２０３０２号公報
【発明の概要】
【発明が解決しようとする課題】
【０００５】
しかしながら、近年、サービスが開始されたLTE（Long Term Evolution）（データ通信）などでは、テレビジョン（TV（TeleVision））信号から１MHzしかギャップ（Gap）がなく配置されるものも出てきた。また、ホワイトスペース（White Space）のようにテレビジョン信号では使用されない帯域（チャンネル（Channel））を使って通信を行うような規格も作成された。このようにテレビジョン信号の近傍の帯域に、テレビジョン信号以外の通信の信号が配置される可能性が増えてきた。
【０００６】
これらの通信の信号は、テレビジョン信号にとっては不要な信号であり、干渉等が生じる恐れもあり、テレビジョン信号にとっては妨害波となり得る。特に、このような妨害波は、テレビジョン信号のように常時一定の出力レベルで出力されるわけではなく、急に電波を出したり、停止したりするような時間的なレベル変動が急激であるという特徴を有する。
【０００７】
このように妨害波が急激にレベル変動すると、チューナ利得が時間的に変化してしまう恐れがあった。これに対して過渡特性を不要に緩やかにすると、妨害波による歪みが生じる時間が長くなり、リードソロモンなどでエラー訂正できなくなるため、最終的にエラーの発生確率が高くなってしまう恐れがあった。
【０００８】
本技術は、このような状況に鑑みて提案されたものであり、より適応的に受信信号の利得制御を行うことを目的とする。
【課題を解決するための手段】
【０００９】
本技術の一側面は、受信信号の信号レベルを増幅する増幅部と、前記増幅部の過渡特性を制御する過渡特性制御部とを備える通信装置である。
【００１０】
前記過渡特性制御部は、前記受信信号の放送方式に応じて、前記過渡特性を制御することができる。
【００１１】
前記過渡特性制御部は、前記受信信号の伝送に関する伝送パラメータに応じて、前記過渡特性を制御することができる。
【００１２】
前記伝送パラメータは、前記受信信号に含まれるビットストリームのビットレートに関する情報を含むようにすることができる。
【００１３】
前記伝送パラメータは、変調方式に関する情報を含むようにすることができる。
【００１４】
前記過渡特性制御部は、前記受信信号が周波数変換されたIF信号の信号レベルに基づいて前記増幅部の利得を制御する制御電圧を制御することにより、前記過渡特性を制御することができる。
【００１５】
前記過渡特性制御部は、前記制御電圧を制御するＲＣ回路の抵抗および静電容量の少なくともいずれか一方を制御することができる。
【００１６】
前記過渡特性制御部は、前記増幅部の出力の信号レベルに基づいて前記増幅部の利得を制御する制御電圧を制御することにより、前記過渡特性を制御することができる。
【００１７】
前記過渡特性制御部は、前記制御電圧を制御する電流源の電流を制御することができる。
【００１８】
所定の情報に基づいて、前記過渡特性制御部による前記過渡特性の制御を制御する制御部をさらに備えることができる。
【００１９】
前記受信信号に含まれる、前記受信信号の伝送に関する伝送パラメータを抽出する抽出部をさらに備え、前記制御部は、前記抽出部により抽出された前記伝送パラメータに基づいて、前記過渡特性制御部による前記過渡特性の制御を制御することができる。
【００２０】
ユーザ入力を受け付ける受付部をさらに備え、前記制御部は、前記受付部により受け付けられた前記ユーザ入力に基づいて、前記過渡特性制御部による前記過渡特性の制御を制御することができる。
【００２１】
前記通信装置の位置を特定する位置特定部をさらに備え、前記制御部は、前記位置特定部により特定された前記通信装置の位置に応じて、前記過渡特性制御部による前記過渡特性の制御を制御することができる。
【００２２】
前記制御部は、前記通信装置が位置する地域の、前記受信信号の放送方式に応じて、前記過渡特性制御部による前記過渡特性の制御を制御することができる。
【００２３】
本技術の一側面は、また、通信装置の通信方法において、前記通信装置が、受信信号の信号レベルを増幅し、その増幅の過渡特性を制御する通信方法である。
【００２４】
本技術の一側面においては、受信信号の信号レベルが増幅され、その増幅の過渡特性が制御される。
【発明の効果】
【００２５】
本技術によれば、受信信号を増幅することができる。特に、その増幅において、より適応的に受信信号の利得制御を行うことができる。
【図面の簡単な説明】
【００２６】
【図１】妨害派による過渡応答への影響の例を説明する図である。
【図２】OFDMの１キャリアでの直交変換の様子を説明する図である。
【図３】受信装置の主な構成例を示すブロック図である。
【図４】ゲイン制御部の主な構成例を示す図である。
【図５】受信処理の流れの例を説明するフローチャートである。
【図６】受信装置の主な構成例を示すブロック図である。
【図７】ゲイン制御部の主な構成例を示す図である。
【図８】受信装置の主な構成例を示すブロック図である。
【図９】受信処理の流れの例を説明するフローチャートである。
【図１０】受信装置の主な構成例を示すブロック図である。
【図１１】表示装置の主な構成例を示すブロック図である。
【図１２】コンピュータの主な構成例を示すブロック図である。
【発明を実施するための形態】
【００２７】
以下、本開示を実施するための形態（以下実施の形態とする）について説明する。なお、説明は以下の順序で行う。
０．概要
１．第１の実施の形態（受信装置）
２．第２の実施の形態（受信装置）
３．第３の実施の形態（受信装置）
４．第４の実施の形態（受信装置）
５．第５の実施の形態（表示装置）
６．第６の実施の形態（コンピュータ）
【００２８】
＜０．概要＞
［AGC動作］
テレビジョン信号等の放送波を受信する受信装置は、その受信した受信信号を増幅するRFAGC（RF Automatic Gain Control）アンプやIFAGC（IF Automatic Gain Control）アンプ等の増幅部を有する。IFAGCアンプは、IFバンドパスフィルタ（BPF（Band Pass Filter））を通すことにより、主に希望波の信号を得ることができる。このIFAGCアンプには、復調部の入力における希望波の出力レベルが一定になるように、その復調部からAGCが掛けられる。
【００２９】
これに対してRFAGCアンプに入力される信号は、緩いフィルタ（Filter）を経由するものの、隣接チャンネル（CH）や次隣接チャンネルの信号は殆ど減衰されない。つまり妨害波も含んだ信号を使ってAGCが掛けられる。これは、妨害波の信号レベル（Level）がRFAGCアンプやミキサ（Mixer）（周波数変換部とも称する）のDレンジ（D-range）を超えて歪まないようにするためである。
【００３０】
従来、テレビジョン（TV）信号の近傍の周波数に携帯電話（データ通信）などが配置されてはいなかったが、近年、サービスが開始されたLTE（データ通信）などでは、テレビジョン信号から1MHzしかギャップ（Gap）がなく配置されるものも出てきた。また、ホワイトスペース（White Space）のように、使用されていないチャンネル（Channel）を使って通信を行うような規格が制定された。このようにテレビジョン信号の近傍の帯域に、テレビジョン信号以外の通信の信号が配置される可能性が増えてきた。このような近傍の帯域の信号は、テレビジョン信号にとっては妨害波となり得る。
【００３１】
特に、これらの妨害波では、テレビジョン信号のように常時一定の出力レベルで出力されるわけではなく、急に電波を出したり、停止したりするといった時間的に急激なレベル変動が発生する。
【００３２】
従来のRFAGCアンプでは、妨害波のレベルが時間的に変動することは想定されていなかったが、妨害波がオン（ON）したり、オフ（OFF）したりするような場合、RFAGCの立ち上がりや立下りの特性も重要になってくる。
【００３３】
図１に妨害波が急激にオン（ON）した場合とオフ（OFF）した場合の、RFAGC電圧の応答及びチューナ利得特性を示す。図２に示されるように、RFAGC電圧が変化している（立ち上がり、立下り区間）では、チューナ利得特性が時間的に変化する。
【００３４】
地上デジタル放送は変調方式として、主にOFDM（Orthogonal Frequency Division Multiplexing）が使用されている。OFDMとは多数のキャリアに変調を掛け、１シンボル送る時間（0.25mS乃至4mS（DVB-T2（Digital Video Broadcasting - Terrestrial2）））を長くすることでフェージング（Fading）に対して強くする事を特徴とした変調方式である。正しく復調するためには、１シンボルを受信している間、チューナの利得が安定していなくてはならない。RFAGC電圧が時間的に変化をしているという事は、チューナの利得が時間的に変化していることを表している。
【００３５】
図２にチューナ利得が変化している場合の１つのキャリアでの概念図を示す。図２に示される様に１シンボルを送る時間に利得の変化が大きいと、正確なFFT（Fast Fourier Transform）の結果を得られない恐れがある事が分かる。
【００３６】
具体的に、１シンボル時間にどの程度利得の変化があるとFFTの結果が間違うかは、放送システム（DVB-T（Digital Video Broadcasting - Terrestrial），ISDB-T（Integrated Services Digital Broadcasting-Terrestrial），DVB-T2など）や、レート（Code Rate）やコンセントレーション（Constellation）等の伝送パラメータにより異なってくる。逆に立ち上がり、立下りを緩やかにし過ぎると、希望信号に妨害を与えている時間が長くなることにより、妨害波で歪みが出ている時間が長くなり過ぎ、リードソロモンなどでエラー訂正できなくなり、最終的に出現するエラーが増大する恐れがあった。
【００３７】
また、シングルキャリア方式のATSC（Advanced Television Systems Committee）（8VSB（8 Vestigial Sideband Modulation））などでは、急激に妨害波の信号レベルが変化しても、１シンボルの伝送時間は100nS程度と短いためRFAGCアンプの利得への影響は少ない。
【００３８】
従来、この立ち上がり立下りの時間を適切に選ぶことができず、オン（ON）・オフ（OFF）するような妨害波に対する耐性が低かった。
【００３９】
そこで、受信信号の信号レベルを増幅する増幅部の過渡特性を制御するようにする。例えば、放送方式や伝送パラメータ等に応じて、増幅部の立ち上がり特性や立下り特性を制御するようにする。このようにすることにより、受信装置は、より適応的に受信信号の利得制御を行うことができる。
【００４０】
＜１．第１の実施の形態＞
［受信装置］
図３は、受信装置の主な構成例を示すブロック図である。図１に示される受信装置１００は、例えば、テレビジョン信号等を受信し、所望のチャネル（周波数帯域）の成分を抽出する受信装置である。
【００４１】
図３に示されるように、受信装置１００は、アンテナ１０１、デジタルチューナ１０２、およびデモジュレータ１０３を有する。
【００４２】
放送局等から送信される放送波（無線信号）は、アンテナ１０１により受信される。その受信信号は、デジタルチューナ１０２により、所望のチャネル（周波数帯域）の成分を抽出され、デモジュレータ１０３により、復調される。
【００４３】
デジタルチューナ１０２は、RFフィルタ１１１、RFAGCアンプ１１２、RFフィルタ１１３、周波数変換部１１４、発振部１１５、IFフィルタ１１６、およびIFAGCアンプ１１７を有する。
【００４４】
アンテナ１０１において受信された受信信号（放送波）は、RFフィルタ１１１に供給される。
【００４５】
RFフィルタ１１１は、供給された受信信号から、所望の周波数帯域の成分を抽出する（若しくは、所望の周波数帯域以外の成分を除去する）。抽出された成分（RF信号）は、RFAGCアンプ１１２に供給される。
【００４６】
RFAGCアンプ１１２は、供給されたRF信号を所望の増幅率で増幅する。RFAGCアンプ１１２の信号増幅率（利得）は可変であり、後述するゲイン制御部１１８から供給されるRFAGC電圧により制御される。RFAGCアンプ１１２は、増幅したRF信号をRFフィルタ１１３に供給する。
【００４７】
RFフィルタ１１３は、供給されたRF信号から、所望の周波数帯域の成分を抽出する（若しくは、所望の周波数帯域以外の成分を除去する）。抽出された成分（RF信号）は、周波数変換部１１４に供給される。
【００４８】
周波数変換部（Mixer）１１４は、供給されたRF信号に、発振部（OSC（oscillator））１１５からの所定の周波数のローカル信号を乗算してRF信号の周波数を変換する。周波数変換部１１４は、周波数変換後の信号（IF信号）をIFフィルタ１１６に供給する。
【００４９】
IFフィルタ１１６は、供給されたIF信号から、所望のチャネル（周波数帯域）の成分を抽出する。抽出された成分（IF信号）は、IFAGCアンプ１１７に供給される。
【００５０】
IFAGCアンプ１１７は、供給されたIF信号を所望の増幅率で増幅する。IFAGCアンプ１１７の信号増幅率は可変であり、後段のデモジュレータ１０３から供給されるフィードバック信号により制御される。IFAGCアンプ１１７は、増幅したIF信号を後段のデモジュレータ１０３に供給する。
【００５１】
また、周波数変換部１１４の出力は、ゲイン制御部１１８にも供給される。ゲイン制御部１１８は、周波数変換部１１４から供給されるIF信号の信号レベルに基づいて、RFAGCアンプ１１２の利得を制御するRFAGC電圧を発生し、そのRFAGC電圧をRFAGCアンプ１１２に供給することによりRFAGCアンプ１１２の利得を制御する。例えば、ゲイン制御部１１８は、IF信号レベルが所定のレベル（閾値）より大きくなった場合、RFAGCアンプ１１２の利得を下げるように、RFAGC電圧を制御する。
【００５２】
［ゲイン制御部］
図４は、図３のゲイン制御部１１８の主な構成例を示す図である。図４に示されるように、ゲイン制御部１１８は、比較部１５１、FET（Field Effect Transistor）１５２、コンデンサ１５３、抵抗１５４、増幅部１５５、抵抗１５６、FET１５７、過渡特性制御部１５８、および設定部１７１を有する。
【００５３】
比較部１５１は、周波数変換部１１４の出力（IF信号）の信号レベルを、所望のレベル（閾値）と比較する。この閾値は、RFAGCアンプ１１２の利得を下げるか否かを判定するためのものであり、その値は任意に設定することができる。その比較結果に基づいてFET１５２乃至過渡特性制御部１５７により、IF信号の出力レベルに応じたRFAGC電圧が生成される。
【００５４】
過渡特性制御部１５８は、RFAGC電圧の立ち上がり特性や立ち下がり特性等の過渡特性を制御する。
【００５５】
［過渡特性制御部］
図４に示されるように、過渡特性制御部１５８は、抵抗１６１、コンデンサ１６２、および抵抗１６３を有する。
【００５６】
抵抗１５４の抵抗値をＲ１とし、抵抗１６３の抵抗値をＲ２とし、抵抗１６１の抵抗値をＲ１とする。また、コンデンサ１５３の静電容量をＣ１とし、コンデンサ１６２の静電容量をＣ２とする。抵抗１６１および抵抗１６３は、抵抗値が可変な可変抵抗である。また、コンデンサ１６２は、静電容量が可変な可変コンデンサである。
【００５７】
抵抗１６１およびコンデンサ１６２は、直列RC回路を形成し、これらの抵抗値および静電容量により、RFAGC電圧の立ち上がり特性が制御される。例えば、図２に示されるように、所望の帯域のRF信号に対して妨害波となる周辺帯域の信号の信号レベルによってRFAGC電圧が変化する。例えば、妨害波レベルが大きい（High）場合、RFAGCアンプ１１２の利得を下げるように、RFAGC電圧が大きくなる（ハイ（High）に設定される）。
【００５８】
このように妨害波レベルがロー（Low）からハイ（High）に変化するのに応じてRFAGC電圧がロー（Low）からハイ（High）に変化する際の過渡特性（すなわち、立ち上がり特性）が、抵抗１６１の抵抗値Ｒ３とコンデンサ１６２の静電容量Ｃ２により制御される。より具体的には、抵抗１６１の抵抗値Ｒ３とコンデンサ１６２の静電容量Ｃ２を制御することにより、RFAGC電圧の立ち上がり時間（ローからハイになるまでの時間）を速くしたり遅くしたりすることができる。
【００５９】
このRFAGC電圧の立ち上がり特性は、図２に示されるように、RFAGCアンプ１１２の利得の立ち上がり特性、すなわち、デジタルチューナ１０２の利得の立ち上がり特性に影響する。つまり、抵抗１６１の抵抗値Ｒ３とコンデンサ１６２の静電容量Ｃ２を制御することにより、RFAGCアンプ１１２の出力（デジタルチューナ１０２の出力）の立ち上がり時間（ローからハイになるまでの時間）を速くしたり遅くしたりすることができる。
【００６０】
また、コンデンサ１６２および抵抗１６３は、並列RC回路を形成し、これらの抵抗値および静電容量により、RFAGC電圧の立ち下がり特性が制御される。
【００６１】
例えば、妨害波レベルがハイ（High）からロー（Low）に変化するのに応じてRFAGC電圧がハイ（High）からロー（Low）に変化する際の過渡特性（すなわち、立ち下がり特性）が、コンデンサ１６２の静電容量Ｃ２と抵抗１６３の抵抗値Ｒ２により制御される。より具体的には、コンデンサ１６２の静電容量Ｃ２と抵抗１６３の抵抗値Ｒ２を制御することにより、RFAGC電圧の立ち下がり時間（ハイからローになるまでの時間）を速くしたり遅くしたりすることができる。
【００６２】
このRFAGC電圧の立ち下がり特性は、図２に示されるように、RFAGCアンプ１１２の利得の立ち下がり特性、すなわち、デジタルチューナ１０２の利得の立ち下がり特性に影響する。つまり、抵抗１６１の抵抗値Ｒ３とコンデンサ１６２の静電容量Ｃ２を制御することにより、RFAGCアンプ１１２の出力（デジタルチューナ１０２の出力）の立ち下がり時間（ハイからローになるまでの時間）を速くしたり遅くしたりすることができる。
【００６３】
上述したように、妨害波のオン（ON）オフ（OFF）が急激に切り替わる場合、その切り替えが所望の受信信号の波形にも影響を及ぼす恐れがある。RFAGC電圧の過渡特性（立ち上がり特性や立ち下がり特性）を緩やかにして妨害波の信号レベルの変化に対する感度を低減させることにより、この影響を抑制することができる。しかしながら、立ち上がり時間や立ち下がり時間を不要に長期化すると、妨害波で歪みが出ている時間が長くなり過ぎ、リードソロモンなどでエラー訂正できなくなり、最終的に出現するエラーが増大する恐れがある。
【００６４】
そこで、過渡特性を適正な値に制御することが求められるが、１シンボル時間にどの程度利得の変化があるとFFTの結果が間違うかは、放送システム（DVB-T ISDB-T DVB-T2など）や、レート（Code Rate）やコンセントレーション（Constellation）等の伝送パラメータにより異なってくる。例えば、DVB-T ,ISDB-Tでは、１シンボル時間は最大で約１mSとなっている。この１シンボルの時間内では４dB程度の利得変化に抑えることが望ましく、傾斜としては、４dB/mS以下の傾きに抑えることが望ましい。また、例えば、DVB-T2の場合、１シンボル時間は最大４mSであるので、４dB/４mS＝１dB/mS以下にするのが望ましい。さらに、シングルキャリア方式である8VSBの場合、１シンボル時間は、約0.1uSであるので４dB/0.1uS＝40000dB/mS以内にすればよい。
【００６５】
［設定部］
そこで、設定部１７１は、過渡特性が適切になるように、このような過渡特性制御部１５８のパラメータ（抵抗値や静電容量等）を設定する。設定部１７１は、例えば、受信信号（放送波）の放送方式に応じて抵抗値や静電容量等を設定する。また、設定部１７１は、例えば、受信信号（放送波）の伝送に関する伝送パラメータ（例えば、レート（Code Rate）やコンセントレーション（Constellation）等）に応じて抵抗値や静電容量等を設定する。例えば、設定部１７１は、その伝送パラメータに含まれる、受信信号に含まれるビットストリームのビットレートに関する情報に基づいて、抵抗値や静電容量等を設定する。また例えば、設定部１７１は、その伝送パラメータに含まれる、変調方式に関する情報に基づいて、抵抗値や静電容量等を設定する。
【００６６】
より具体的には、設定部１７１は、抵抗１６１の抵抗値Ｒ３とコンデンサ１６２の静電容量Ｃ２を制御することにより、RFAGC電圧の立ち上がり時間（ローからハイになるまでの時間）を速くしたり遅くしたりする。また、設定部１７１は、抵抗１６１の抵抗値Ｒ３とコンデンサ１６２の静電容量Ｃ２を制御することにより、RFAGC電圧の立ち下がり時間を速くしたり遅くしたりする。
【００６７】
このように、各種条件に応じて、過渡特性制御部１５８のパラメータ（抵抗値や静電容量等）が設定されるので、受信装置１００は、各種条件に応じてより適応的に、受信信号の利得制御を行うことができる。
【００６８】
［受信処理の流れ］
次に、受信装置１００により実行される受信処理の流れの例を、図５のフローチャートを参照して説明する。
【００６９】
受信処理が開始されると、設定部１７１は、ステップＳ１０１において、各種条件に応じて過渡特性制御部１５８のパラメータを設定することにより、RFAGCアンプ１１２の過渡特性を設定する。
【００７０】
ステップＳ１０２において、受信装置１００のRFフィルタ１１１は、受信信号から所定の周波数帯域の成分を抽出する。
【００７１】
ステップＳ１０３において、RFAGCアンプ１１２は、ステップＳ１０１において設定されたパラメータに基づく制御に基づいて、RF信号を増幅する。
【００７２】
ステップＳ１０４において、RFフィルタ１１３は、ステップＳ１０３において増幅されたRF信号から所定の周波数帯域の成分を抽出する。
【００７３】
ステップＳ１０５において、周波数変換部１１４は、発振部１１５において生成されたローカル信号を用いてRF信号の周波数を変換する。
【００７４】
ステップＳ１０６において、IFフィルタ１１６は、受信するチャネルを選択し、そのチャネルの周波数帯域の成分を、IF信号から抽出する。
【００７５】
ステップＳ１０７において、IFAGCアンプ１１７は、デモジュレータ１０３からの制御に基づいて、IF信号を増幅する。
【００７６】
ステップＳ１０８において、ゲイン制御部１１８は、RFAGCアンプ１１２の利得を制御する。
【００７７】
ステップＳ１０９において、デモジュレータ１０３は、IF信号の増幅率（利得）を制御する。
【００７８】
ステップＳ１０９の処理が終了すると、受信処理が終了する。
【００７９】
以上のように各処理を実行することにより、受信装置１００は、より適応的に受信信号の利得制御を行うことができる。
【００８０】
＜２．第２の実施の形態＞
［受信装置］
なお、受信装置の構成は、図３の例に限らない。図６は、本技術を適用した受信装置の他の構成例を示すブロック図である。図６に示される受信装置２００は、第１の実施の形態において説明した受信装置１００（図３）と基本的に同様の機能を有する。ただし、受信装置２００は、デジタルチューナ１０２の代わりにデジタルチューナ２０２を有する。
【００８１】
デジタルチューナ２０２は、デジタルチューナ１０２（図３）と基本的に同様の機能を有する。ただし、デジタルチューナ２０２は、ゲイン制御部１１８（図３）の代わりにゲイン制御部２１８を有する。
【００８２】
ゲイン制御部２１８は、RFAGCアンプ１１２の出力の信号レベルに基づいて、RFAGCアンプ１１２の利得を制御するRFAGC電圧を発生し、そのRFAGC電圧をRFAGCアンプ１１２に供給することにより、RFAGCアンプ１１２の利得を制御する。例えば、ゲイン制御部２１８は、RFAGCアンプ１１２の出力の信号レベルが所定のレベル（閾値）より大きくなった場合、RFAGCアンプ１１２の利得を下げるように、RFAGC電圧を制御する。
【００８３】
［ゲイン制御部］
図７は、図６のゲイン制御部２１８の主な構成例を示す図である。図７に示されるように、ゲイン制御部２１８は、ゲイン制御部１１８（図４）と同様の比較部１５１、FET１５２、コンデンサ１５３、および抵抗１５４を有する。ただし、比較部１５１は、RFAGCアンプ１１２の出力の信号レベルを、所望のレベル（閾値）と比較する。この閾値は、RFAGCアンプ１１２の利得を下げるか否かを判定するためのものであり、その値は任意に設定することができる。また、ゲイン制御部２１８は、増幅部２５５、過渡特性制御部２５８、コンデンサ２５９、および設定部２７１を有する。
【００８４】
コンデンサ２５９は、コンデンサ１６２と同様の静電容量Ｃ２を有する。
【００８５】
過渡特性制御部２５８は、RFAGCアンプ１１２から出力されるRF信号の立ち上がり特性や立ち下がり特性等の過渡特性を制御する。
【００８６】
［過渡特性制御部］
図７に示されるように、過渡特性制御部２５８は、電流源２６１、スイッチ２６２、スイッチ２６３、および電流源２６４を有する。
【００８７】
増幅部２５５の出力により、スイッチ２６２およびスイッチ２６３の接続状態（オン・オフ）が制御される。電流源２６１と電流源２６４の電流値はともに可変である。
【００８８】
電流源２６１と電流源２６４の電流値により、RFAGCアンプ１１２の出力（RF信号）の過渡特性（立ち上がり特性や立ち下がり特性等）が制御される。例えば、図２に示される例において、妨害波レベルが変化する（ロー（Low）からハイ（High）、若しくはその逆）ことにより、RFAGCアンプ１１２の出力（RF信号）の信号レベルが変化する（ロー（Low）からハイ（High）へ、若しくはその逆）際の過渡特性が、電流源２６１と電流源２６４の電流値により制御される。換言するに、電流源２６１と電流源２６４の電流値を制御することにより、RFAGCアンプ１１２の出力（RF信号）の信号レベルの立ち上がり時間（ローからハイになるまでの時間）や、立ち下がり時間（ハイからローになるまでの時間）を速くしたり遅くしたりすることができる。
【００８９】
つまり、このような制御により、デジタルチューナ１０２の出力の立ち上がり時間や立ち下がり時間を速くしたり遅くしたりすることができる。
【００９０】
上述したように、このような過渡特性は、放送システムや伝送パラメータ等の外的要因に応じて、適正な値に制御することが求められる。
【００９１】
［設定部］
そこで、設定部２７１は、過渡特性が適切になるように、このような過渡特性制御部２５８のパラメータ（電流値）を設定する。設定部２７１は、例えば、受信信号（放送波）の放送方式に応じて電流源２６１および電流源２６４の電流値等を設定する。また、設定部２７１は、例えば、受信信号（放送波）の伝送に関する伝送パラメータ（例えば、レート（Code Rate）やコンセントレーション（Constellation）等）に応じて電流源２６１および電流源２６４の電流値等を設定する。例えば、設定部２７１は、その伝送パラメータに含まれる、受信信号に含まれるビットストリームのビットレートに関する情報に基づいて、電流源２６１および電流源２６４の電流値等を設定する。また例えば、設定部２７１は、その伝送パラメータに含まれる、変調方式に関する情報に基づいて、電流源２６１および電流源２６４の電流値等を設定する。
【００９２】
このように、各種条件に応じて、過渡特性制御部２５８のパラメータ（電流源２６１および電流源２６４の電流値等）が設定されるので、受信装置２００は、各種条件に応じてより適応的に、受信信号の利得制御を行うことができる。
【００９３】
［受信処理の流れ］
なお、受信装置２００により実行される受信処理は、図５のフローチャートを参照して説明した、受信装置１００により実行される受信処理の場合と基本的に同様に行われる。ただし、各処理は、受信装置２００の各部が実行する。また、ステップＳ１０１の処理は設定部２７１が行い、ステップＳ１０８の処理は、ゲイン制御部２１８が行う。以上のように各処理を実行することにより、受信装置２００は、より適応的に受信信号の利得制御を行うことができる。
【００９４】
＜３．第３の実施の形態＞
［受信装置］
なお、第１の実施の形態および第２の実施の形態において説明した、過渡特性制御部のパラメータの制御は、任意の情報を参照し、その情報（参照情報）に基づいて行われるようにしてもよい。
【００９５】
例えば、受信信号から抽出された、受信信号の伝送に関する伝送パラメータ、受信装置の位置、またはユーザ指定等を参照情報としてもよい。
【００９６】
図８は、本技術を適用した受信装置の他の構成例を示すブロック図である。図８に示される受信装置３００は、第１の実施の形態において説明した受信装置１００（図３）と基本的に同様の機能を有する。ただし、受信装置３００は、受信装置１００の構成に加え、制御部３２１、GPS（Global Positioning System）３２２、および入力部３２３を有する。
【００９７】
図８の例の場合、デモジュレータ１０３は、復調したIF信号から、放送波（受信信号）の伝送に関する伝送パラメータを抽出し、その抽出した伝送パラメータを参照情報として制御部３２１に供給する。例えば、デモジュレータ１０３が、抽出した伝送パラメータを、制御部３２１からの要求に対する応答として制御部３２１に返すようにしてもよい。
【００９８】
また、GPS３２２は、例えばGPSのサービスを利用して受信装置３００の現在の位置を特定する（現在の位置に関する情報を生成（若しくは他の装置から取得）する）。GPS３２２は、得られた受信装置３００の現在位置に関する情報を、参照情報として制御部３２１に供給する。例えば、GPS３２２が、制御部３２１からの要求に基づいて、受信装置３００の現在の位置を特定し、その位置情報を要求に対する応答として制御部３２１に返すようにしてもよい。
【００９９】
入力部３２３は、例えば、キーボード、マウス、若しくはタッチパネル等、任意のユーザインタフェースを有し、ユーザがそのユーザインタフェースを操作して入力する情報（例えばユーザ指示）を受け付ける。入力部３２３は、受け付けた情報（ユーザ指示等）を参照情報として制御部３２１に供給する。例えば、入力部３２３が、受け付けた情報を、制御部３２１からの要求に対する応答として制御部３２１に返すようにしてもよい。
【０１００】
制御部３２１は、デモジュレータ１０３から供給される伝送パラメータ、GPS３２２から供給される位置情報、若しくは、入力部３２３から供給される情報（ユーザ指示等）等の参照情報に基づいて、RFAGCアンプ１１２の適切な過渡特性（立ち上がり特性や立ち下がり特性）を求める（例えば、算出する、若しくは予め用意された複数の候補の中から適切なものを選択する）。
【０１０１】
例えば、制御部３２１は、デモジュレータ１０３から取得した伝送パラメータの値に適した過渡特性を求める。また、例えば、制御部３２１は、GPS３２２から取得した位置情報に基づいて、受信装置３００が位置する地域（受信装置３００が属する放送エリア（例えば、国等））の放送方式を特定し、その放送方式に適した過渡特性を求める。さらに、例えば、制御部３２１は、入力部３２３から取得したユーザ指示に適した過渡応答を求める。
【０１０２】
なお、制御部３２１が、上述した各種情報のうち複数を用いて、過渡特性を求めるようにしてもよい。また、制御部３２１が、上述した各種情報以外の情報を用いて、過渡特性を求めるようにしてもよい。制御部３２１は、得られた過渡特性をゲイン制御部１１８に通知する。
【０１０３】
ゲイン制御部１１８の設定部１７１（図４）は、その制御部３２１から供給される過渡特性が得られるように、過渡特性制御部１５８のパラメータ（抵抗値や静電容量等）を設定する。
【０１０４】
したがって、受信装置３００は、各種条件に応じてより適応的に、受信信号の利得制御を行うことができる。
【０１０５】
［受信処理の流れ］
次に、受信装置３００により実行される受信処理の流れの例を、図９のフローチャートを参照して説明する。
【０１０６】
受信処理が開始されると、デモジュレータ１０３、GPS３２２、若しくは入力部３２３は、ステップＳ３０１において、それぞれの方法で参照情報を取得する。
【０１０７】
ステップＳ３０２において、制御部３２１は、ステップＳ３０１において得られた参照情報に基づいて、RFAGCアンプ１１２の適切な過渡応答を求める（すなわち、過渡応答を最適化する）。
【０１０８】
ステップＳ３０３において、ゲイン制御部１１８の設定部１７１は、ステップＳ３０２において得られた適切な過渡応答を実現するように、過渡特性制御部１５８のパラメータ（抵抗値や静電容量等）を設定する。
【０１０９】
ステップＳ３０４乃至ステップＳ３１１の各処理は、受信装置３００の各処理部により、図５のステップＳ１０２乃至ステップＳ１０９の各処理と同様に実行される。
【０１１０】
ステップＳ３１１の処理が終了すると、受信処理が終了する。
【０１１１】
以上のように各処理を実行することにより、受信装置３００は、より適応的に受信信号の利得制御を行うことができる。
【０１１２】
＜４．第４の実施の形態＞
［受信装置］
図１０は、本技術を適用した受信装置の他の構成例を示すブロック図である。図１０に示される受信装置４００は、第２の実施の形態において説明した受信装置２００（図６）と基本的に同様の機能を有する。ただし、受信装置４００は、受信装置２００の構成に加え、受信装置３００と同様の、制御部３２１、GPS３２２、および入力部３２３を有する。
【０１１３】
デモジュレータ１０３、制御部３２１、GPS３２２、および入力部３２３は、第３の実施の形態において説明したのと、基本的に同様の処理を行う。ただし、制御部３２１は、参照情報を用いて得られた過渡特性をゲイン制御部２１８に通知する。
【０１１４】
ゲイン制御部２１８の設定部２７１（図７）は、その制御部３２１から供給される過渡特性が得られるように、過渡特性制御部２５８のパラメータ（電流源２６１や電流源２６４の電流値等）を設定する。
【０１１５】
したがって、受信装置４００は、各種条件に応じてより適応的に、受信信号の利得制御を行うことができる。
【０１１６】
［受信処理の流れ］
なお、受信装置４００により実行される受信処理は、図９のフローチャートを参照して説明した、受信装置３００により実行される受信処理の場合と基本的に同様に行われる。ただし、各処理は、受信装置４００の各部が実行する。また、ステップＳ３０３の処理は設定部２７１が行い、ステップＳ３１０の処理は、ゲイン制御部２１８が行う。以上のように各処理を実行することにより、受信装置４００は、より適応的に受信信号の利得制御を行うことができる。
【０１１７】
従来はRFAGCアンプ１１２の過渡特性が放送システム毎に適切になっていなかった。そのために妨害波がON OFFするような場合に立ち上がりや立下りが急峻のためにエラーが起きたり、逆に滑らか過ぎて必要な減衰量に達するまでの時間が長くかかり、エラーが出ている時間が長くなったりしてしまう恐れがあった。これに対して本技術は、上述したように、放送システムや伝送パラメータ毎にRFAGCアンプ１１２の過渡特性（立ち上がり、立下り特性）がより適切となるように設定する。したがって、受信装置は、ON OFFするような妨害波に対する耐性を向上させることができる。
【０１１８】
［その他］
なお、以上に説明した、受信装置１００乃至受信装置４００が行う通信は、無線通信に限らず有線通信であってもよい。つまり、受信装置１００乃至受信装置４００が、無線信号をアンテナ１０１において受信するのではなく、ケーブルを介して伝送されるAM変調信号を受信するようにしてもよい。この場合、受信装置１００乃至受信装置４００は、アンテナ１０１の代わりに、例えば入力端子等の入力インタフェースを有する。この場合も、受信されたAM変調信号に対する処理は、上述した無線信号を受信する場合と同様に行われる。
【０１１９】
また、以上においては、AM変調信号を例に説明したが、受信装置１００乃至受信装置４００が受信する信号は、どのような信号であっても良い。例えば、この受信信号が、AM変調信号だけでなく、その他の変調方式の信号も含むようにしてもよい。また、この受信信号が、AM変調以外の変調方式で変調された信号であってもよい。
【０１２０】
なお、受信装置１００乃至受信装置４００が受信する信号により伝送される情報は、任意であり、上述した映像信号に限定されない。例えば、AMラジオ放送波のように音声信号であってもよいし、データ通信において伝送されるデジタルデータであってもよい。また、以上においては、本技術を適用する装置として、受信装置を例に説明したが、本技術は、上述した受信装置に限らず、上述した受信機能を有するものであればどのような装置にも適用することができる。例えば、さらに送信機能も有する通信装置に対しても本技術を適用することができる。
【０１２１】
また、上述した実施形態に係る受信装置１００乃至受信装置４００は、任意の電子機器に応用され得る。例えば、受信装置１００乃至受信装置４００は、放送局が放送するテレビジョン信号（放送波）を受信するチューナ、または、そのチューナを有する、放送番組の画像を表示するテレビジョン受像機（表示装置）やレコーダ（記録再生装置）等に適用することもできる。
【０１２２】
＜５．第５の実施の形態＞
［表示装置］
図１１は、以上のような受信装置（受信装置１００乃至受信装置４００のいずれか）を処理部として用いた表示装置の主な構成例を示すブロック図である。図１１に示される表示装置５００は、例えば、テレビジョン信号のような放送波を受信する受信装置であり、また、その受信した画像を表示する装置である。表示装置５００は、例えば、アンテナ５０１、チューナ５０２、デマルチプレクサ５０３、デコーダ５０４、映像信号処理部５０５、表示部５０６、音声信号処理部５０７、スピーカ５０８、外部インタフェース５０９、制御部５１０、ユーザインタフェース５１１、及びバス５１２を備える。
【０１２３】
チューナ５０２は、アンテナ５０１を介して受信される放送信号から所望のチャネルの信号を抽出し、抽出した信号を復調する。そして、チューナ５０２は、復調により得られた符号化ビットストリームをデマルチプレクサ５０３へ出力する。即ち、チューナ５０２は、画像が符号化されている符号化ストリームを受信する、表示装置５００における伝送部としての役割を有する。
【０１２４】
デマルチプレクサ５０３は、符号化ビットストリームから視聴対象の番組の映像ストリーム及び音声ストリームを分離し、分離した各ストリームをデコーダ５０４へ出力する。また、デマルチプレクサ５０３は、符号化ビットストリームからEPG（Electronic Program Guide）などの補助的なデータを抽出し、抽出したデータを制御部５１０に供給する。なお、デマルチプレクサ５０３は、符号化ビットストリームがスクランブルされている場合には、デスクランブルを行ってもよい。
【０１２５】
デコーダ５０４は、デマルチプレクサ５０３から入力される映像ストリーム及び音声ストリームを復号する。そして、デコーダ５０４は、復号処理により生成される映像データを映像信号処理部５０５へ出力する。また、デコーダ５０４は、復号処理により生成される音声データを音声信号処理部５０７へ出力する。
【０１２６】
映像信号処理部５０５は、デコーダ５０４から入力される映像データを再生し、表示部５０６に映像を表示させる。また、映像信号処理部５０５は、ネットワークを介して供給されるアプリケーション画面を表示部５０６に表示させてもよい。また、映像信号処理部５０５は、映像データについて、設定に応じて、例えばノイズ除去などの追加的な処理を行ってもよい。さらに、映像信号処理部５０５は、例えばメニュー、ボタン又はカーソルなどのGUI（Graphical User Interface）の画像を生成し、生成した画像を出力画像に重畳してもよい。
【０１２７】
表示部５０６は、映像信号処理部５０５から供給される駆動信号により駆動され、表示デバイス（例えば、液晶ディスプレイ、プラズマディスプレイ又はOELD（Organic ElectroLuminescence Display）（有機ELディスプレイ）など）の映像面上に映像又は画像を表示する。
【０１２８】
音声信号処理部５０７は、デコーダ５０４から入力される音声データについてD/A変換及び増幅などの再生処理を行い、スピーカ５０８から音声を出力させる。また、音声信号処理部５０７は、音声データについてノイズ除去などの追加的な処理を行ってもよい。
【０１２９】
外部インタフェース５０９は、表示装置５００と外部機器又はネットワークとを接続するためのインタフェースである。例えば、外部インタフェース５０９を介して受信される映像ストリーム又は音声ストリームが、デコーダ５０４により復号されてもよい。即ち、外部インタフェース５０９もまた、画像が符号化されている符号化ストリームを受信する、表示装置５００における伝送部としての役割を有する。
【０１３０】
制御部５１０は、CPUなどのプロセッサ、並びにRAM及びROMなどのメモリを有する。メモリは、CPUにより実行されるプログラム、プログラムデータ、EPGデータ、及びネットワークを介して取得されるデータなどを記憶する。メモリにより記憶されるプログラムは、例えば、表示装置５００の起動時にCPUにより読み込まれ、実行される。CPUは、プログラムを実行することにより、例えばユーザインタフェース５１１から入力される操作信号に応じて、表示装置５００の動作を制御する。
【０１３１】
ユーザインタフェース５１１は、制御部５１０と接続される。ユーザインタフェース５１１は、例えば、ユーザが表示装置５００を操作するためのボタン及びスイッチ、並びに遠隔制御信号の受信部などを有する。ユーザインタフェース５１１は、これら構成要素を介してユーザによる操作を検出して操作信号を生成し、生成した操作信号を制御部５１０へ出力する。
【０１３２】
バス５１２は、チューナ５０２、デマルチプレクサ５０３、デコーダ５０４、映像信号処理部５０５、音声信号処理部５０７、外部インタフェース５０９及び制御部５１０を相互に接続する。
【０１３３】
このように構成された表示装置５００のアンテナ５０１およびチューナ５０２に、上述した、受信装置１００乃至受信装置４００のいずれかが用いられる。したがって、表示装置５００は、より適応的に受信信号の利得制御を行うことができる。
【０１３４】
＜６．第６の実施の形態＞
［コンピュータ］
上述した一連の処理は、ハードウエアにより実行させることもできるし、ソフトウエアにより実行させることもできる。一連の処理をソフトウエアにより実行する場合には、そのソフトウエアを構成するプログラムが、コンピュータにインストールされる。ここでコンピュータには、専用のハードウエアに組み込まれているコンピュータや、各種のプログラムをインストールすることで、各種の機能を実行することが可能な、例えば汎用のパーソナルコンピュータ等が含まれる。
【０１３５】
図１２は、上述した一連の処理をプログラムにより実行するコンピュータのハードウエアの構成例を示すブロック図である。
【０１３６】
図１２に示されるコンピュータ６００において、CPU（Central Processing Unit）６０１、ROM（Read Only Memory）６０２、RAM（Random Access Memory）６０３は、バス６０４を介して相互に接続されている。
【０１３７】
バス６０４にはまた、入出力インタフェース６１０も接続されている。入出力インタフェース６１０には、入力部６１１、出力部６１２、記憶部６１３、通信部６１４、およびドライブ６１５が接続されている。
【０１３８】
入力部６１１は、例えば、キーボード、マウス、マイクロホン、タッチパネル、入力端子などよりなる。出力部６１２は、例えば、ディスプレイ、スピーカ、出力端子などよりなる。記憶部６１３は、例えば、ハードディスク、RAMディスク、不揮発性のメモリなどよりなる。通信部６１４は、例えば、ネットワークインタフェースよりなる。ドライブ６１５は、磁気ディスク、光ディスク、光磁気ディスク、または半導体メモリなどのリムーバブルメディア６２１を駆動する。
【０１３９】
以上のように構成されるコンピュータでは、CPU６０１が、例えば、記憶部６１３に記憶されているプログラムを、入出力インタフェース６１０およびバス６０４を介して、RAM６０３にロードして実行することにより、上述した一連の処理が行われる。RAM６０３にはまた、CPU６０１が各種の処理を実行する上において必要なデータなども適宜記憶される。
【０１４０】
コンピュータ（CPU６０１）が実行するプログラムは、例えば、パッケージメディア等としてのリムーバブルメディア６２１に記録して適用することができる。また、プログラムは、ローカルエリアネットワーク、インターネット、デジタル衛星放送といった、有線または無線の伝送媒体を介して提供することができる。
【０１４１】
コンピュータでは、プログラムは、リムーバブルメディア６２１をドライブ６１５に装着することにより、入出力インタフェース６１０を介して、記憶部６１３にインストールすることができる。また、プログラムは、有線または無線の伝送媒体を介して、通信部６１４で受信し、記憶部６１３にインストールすることができる。その他、プログラムは、ROM６０２や記憶部６１３に、あらかじめインストールしておくことができる。
【０１４２】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１４３】
また、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０１４４】
また、本明細書において、システムとは、複数の構成要素（装置、モジュール（部品）等）の集合を意味し、全ての構成要素が同一筐体中にあるか否かは問わない。したがって、別個の筐体に収納され、ネットワークを介して接続されている複数の装置、及び、１つの筐体の中に複数のモジュールが収納されている１つの装置は、いずれも、システムである。
【０１４５】
また、以上において、１つの装置（または処理部）として説明した構成を分割し、複数の装置（または処理部）として構成するようにしてもよい。逆に、以上において複数の装置（または処理部）として説明した構成をまとめて１つの装置（または処理部）として構成されるようにしてもよい。また、各装置（または各処理部）の構成に上述した以外の構成を付加するようにしてももちろんよい。さらに、システム全体としての構成や動作が実質的に同じであれば、ある装置（または処理部）の構成の一部を他の装置（または他の処理部）の構成に含めるようにしてもよい。
【０１４６】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１４７】
例えば、本技術は、１つの機能を、ネットワークを介して複数の装置で分担、共同して処理するクラウドコンピューティングの構成をとることができる。
【０１４８】
また、上述のフローチャートで説明した各ステップは、１つの装置で実行する他、複数の装置で分担して実行することができる。
【０１４９】
さらに、１つのステップに複数の処理が含まれる場合には、その１つのステップに含まれる複数の処理は、１つの装置で実行する他、複数の装置で分担して実行することができる。
【０１５０】
なお、本技術は以下のような構成も取ることができる。
（１）  受信信号の信号レベルを増幅する増幅部と、
前記増幅部の過渡特性を制御する過渡特性制御部と
を備える通信装置。
（２）  前記過渡特性制御部は、前記受信信号の放送方式に応じて、前記過渡特性を制御する
前記（１）乃至（１４）のいずれかに記載の通信装置。
（３）  前記過渡特性制御部は、前記受信信号の伝送に関する伝送パラメータに応じて、前記過渡特性を制御する
前記（１）乃至（１４）のいずれかに記載の通信装置。
（４）  前記伝送パラメータは、前記受信信号に含まれるビットストリームのビットレートに関する情報を含む
前記（３）に記載の通信装置。
（５）  前記伝送パラメータは、変調方式に関する情報を含む
前記（３）または（４）に記載の通信装置。
（６）  前記過渡特性制御部は、前記受信信号が周波数変換されたIF信号の信号レベルに基づいて前記増幅部の利得を制御する制御電圧を制御することにより、前記過渡特性を制御する
前記（１）乃至（１４）のいずれかに記載の通信装置。
（７）  前記過渡特性制御部は、前記制御電圧を制御するＲＣ回路の抵抗および静電容量の少なくともいずれか一方を制御する
前記（６）に記載の通信装置。
（８）  前記過渡特性制御部は、前記増幅部の出力の信号レベルに基づいて前記増幅部の利得を制御する制御電圧を制御することにより、前記過渡特性を制御する
前記（１）乃至（１４）のいずれかに記載の通信装置。
（９）  前記過渡特性制御部は、前記制御電圧を制御する電流源の電流を制御する
前記（８）に記載の通信装置。
（１０）  所定の情報に基づいて、前記過渡特性制御部による前記過渡特性の制御を制御する制御部をさらに備える
前記（１）乃至（１４）のいずれかに記載の通信装置。
（１１）  前記受信信号に含まれる、前記受信信号の伝送に関する伝送パラメータを抽出する抽出部をさらに備え、
前記制御部は、前記抽出部により抽出された前記伝送パラメータに基づいて、前記過渡特性制御部による前記過渡特性の制御を制御する
前記（１０）に記載の通信装置。
（１２）  ユーザ入力を受け付ける受付部をさらに備え、
前記制御部は、前記受付部により受け付けられた前記ユーザ入力に基づいて、前記過渡特性制御部による前記過渡特性の制御を制御する
前記（１０）または（１１）に記載の通信装置。
（１３）  前記通信装置の位置を特定する位置特定部をさらに備え、
前記制御部は、前記位置特定部により特定された前記通信装置の位置に応じて、前記過渡特性制御部による前記過渡特性の制御を制御する
前記（１０）乃至（１２）のいずれかに記載の通信装置。
（１４）  前記制御部は、前記通信装置が位置する地域の、前記受信信号の放送方式に応じて、前記過渡特性制御部による前記過渡特性の制御を制御する
前記（１３）に記載の通信装置。
（１５）  通信装置の通信方法において、
前記通信装置が、
受信信号の信号レベルを増幅し、
その増幅の過渡特性を制御する
通信方法。
【符号の説明】
【０１５１】
１００  受信装置，  １０２  デジタルチューナ，  １０３  デモジュレータ，  １１２  RFAGCアンプ，  １１８  ゲイン制御部，  １５８  過渡特性制御部，  １６１  抵抗，  １６２  コンデンサ，  １６３  抵抗，  １７１  設定部，  ２００  受信装置，  ２０２  デジタルチューナ，  ２１８  ゲイン制御部，  ２５５  増幅部，  ２５８  過渡特性制御部，  ２５９  コンデンサ，  ２６１  電流源，  ２６２および２６３  スイッチ，  ２６４  電流源，  ２７１  設定部，  ３００  受信装置，  ３２１  制御部，  ３２２  GPS，  ３２３  入力部，  ４００  受信装置
【図１】
2014086887.tif 000003
【図２】
2014086887.tif 000004
【図３】
2014086887.tif 000005
【図４】
2014086887.tif 000006
【図５】
2014086887.tif 000007
【図６】
2014086887.tif 000008
【図７】
2014086887.tif 000009
【図８】
2014086887.tif 000010
【図９】
2014086887.tif 000011
【図１０】
2014086887.tif 000012
【図１１】
2014086887.tif 000013
【図１２】
2014086887.tif 000014